(57)【特許請求の範囲】
【請求項１】
作業対象に対して行なわれる作業に関して、当該作業を行なう作業者を支援するための提示情報を該作業者に提示する作業支援システムであって、
該提示情報を表示する表示部と、
該作業対象に関する画像データを格納する画像データ格納部と、
該提示情報と該作業を特定する作業特定情報とを関連付け作業支援情報として格納する情報格納部と、
該提示情報の提示を希望する該作業に関する該作業特定情報を入力可能な作業特定情報入力部と、
該作業特定情報入力部によって入力された該作業特定情報に基づいて、該情報格納部から、当該作業特定情報に関連する該提示情報を取得する情報取得部と、
該情報取得部によって取得された該提示情報を該表示部に表示させるように制御する表示制御部とをそなえ、
該作業支援情報が、該画像データにおける当該提示情報の表示位置に関する情報をそなえるとともに、同一の該画像データに対して、互いに異なる該作業特定情報にかかる複数の該提示情報を関連付け、
該表示制御部が、該提示情報を該表示部に表示させる際に、
該画像データ格納部から取得された該画像データとともに、該提示情報を当該画像データにおける該表示位置に表示させるとともに、
前記情報取得部によって取得された提示情報を、該作業対象に関する他の提示情報とは異なる表示形態で、前記他の提示情報とともに該表示部に表示させることを特徴とする、作業支援システム。
【請求項２】
作業対象に対して行なわれる作業に関する提示情報を表示装置に表示させることにより当該作業を行なう作業者を支援するコンピュータによる作業支援方法であって、
該コンピュータが、該作業対象に関する画像データを画像データ格納部に格納する画像データ格納ステップと、
該コンピュータが、該提示情報を、該作業を特定する作業特定情報に関連付けて作業支援情報として記憶装置に格納する情報格納ステップと、
該提示情報の提示を希望する該作業に関する該作業特定情報が入力装置を介して入力されると、該コンピュータが、入力された該作業特定情報に基づいて、該記憶装置に格納された該作業支援情報から、当該作業特定情報に関連する該提示情報を取得する情報取得ステップと、
該コンピュータが、該情報取得ステップにおいて取得された該提示情報を該表示装置に表示させる表示制御ステップとをそなえ、
該作業支援情報が、該画像データにおける当該提示情報の表示位置に関する情報をそなえるとともに、同一の該画像データに対して、互いに異なる該作業特定情報にかかる複数の該提示情報を関連付け、
該表示制御ステップにおいて、該提示情報を該表示部に表示させる際に、
該画像データ格納部から取得された該画像データとともに、該提示情報を当該画像データにおける該表示位置に表示させるとともに、
前記情報取得ステップにおいて取得された提示情報を、該作業対象に関する他の提示情報とは異なる表示形態で、前記他の提示情報とともに該表示装置に表示させることを特徴とする、作業支援方法。
【請求項３】
作業対象に対して行なわれる作業に関する提示情報を表示装置に表示させることにより当該作業を行なう作業者を支援する作業支援機能をコンピュータに実行させるための作業支援用プログラムであって、
該作業対象に関する画像データを画像データ格納部に格納する画像データ格納ステップと、
該提示情報を、該作業を特定する作業特定情報に関連付けて作業支援情報として格納する情報格納ステップと、
該提示情報の提示を希望する該作業に関する該作業特定情報を入力可能な作業特定情報入力ステップと、
該作業特定情報入力ステップにおいて入力された該作業特定情報に基づいて、該情報格納ステップにおいて格納した該作業支援情報から、当該作業特定情報に関連する該提示情報を取得する情報取得ステップと、
該情報取得ステップにおいて取得された該提示情報を該表示装置に表示させる表示制御ステップとを該コンピュータに実行させるとともに、
該作業支援情報が、該画像データにおける当該提示情報の表示位置に関する情報をそなえるとともに、同一の該画像データに対して、互いに異なる該作業特定情報にかかる複数の該提示情報を関連付け、
該表示制御ステップにおいて、該提示情報を該表示部に表示させる際に、
該画像データ格納部から取得された該画像データとともに、該提示情報を当該画像データにおける該表示位置に表示させるとともに、
前記情報取得ステップにおいて取得された提示情報を、該作業対象に関する他の提示情報とは異なる表示形態で、前記他の提示情報とともに該表示装置に表示させることを特徴とする、作業支援用プログラム。
【発明の詳細な説明】
【技術分野】
【０００１】
本発明は、作業者に対して提示情報の提示を行なうことによって作業支援を行なう技術に関する。
【背景技術】
【０００２】
現在、製品開発においてＣＡＤ（Computer Aided Design）を用いることは一般的に行なわれるようになっており、ＣＡＤを用いて作成された設計データは、様々な場面で活用されている。
例えば、ＣＡＤを用いて作成した設計データとともに様々なコメント（注記）を表示することにより、その製品に関する作業内容等を作業者に対して説明する手法が知られており、下記特許文献１には、３次元ＣＡＤを用いて作成した設計モデルに加工工程や加工指示，検査指示，組立支持の情報を付与することにより、作業者に対して作業指示を行なって作業の支援を行なう手法が開示されている。
【０００３】
また、作業の内容や手順をアニメーション（指示アニメーション）によって作業者に提示することにより、作業者の支援を行なう手法も知られている。この指示アニメーションは、部品移動やビューの移動／拡縮操作を行なうことで画像を作成しながら、注意事項等のある工程において注記の表示／非表示を繰り返すことによって作成され、例えば、製造現場における組立指示や、使用済製品の回収後における分解指示，機器が動作する様子や人物が機器を操作する場面の検証等、様々なシーンにおいて用いられている。
【特許文献１】特開２００４−２４０６５９号公報
【発明の開示】
【発明が解決しようとする課題】
【０００４】
しかしながら、このような従来の作業支援手法においては、作業指示を行なうためのデータの作成に際して、設計データに注記の追加が繰り返されることが多く、この結果、様々な作業シーンにおける注記が同一の設計データ中に存在することになり、表示される作業指示データ中に複数の注記が表示され、各注記がどの作業シーンに対応するものであるのかがわかり難く煩雑になる場合がある。
【０００５】
図１２は従来の作業支援情報作成方法によって作成された作業指示データの例を示す図である。この図１２に示す例は、ＡＴＭ（Automated Teller Machine；現金自動預入れ支払い機）の操作検証作業に際して、作業者によって参照されるものであって、ＡＴＭおよび人体モデルの外観図とともに、機器操作の検証時に参照される４つの注記（「液晶部は見やすいか？」，「キーボタンは指が大きな人でもＯＫ？」，「現金口は受け取りやすいか？」，「カードを挿入口に入れやすいか？」）と分解作業の検証時に参照される３つの注記（「カバーが自重で勝手に閉じたりしないか？」，「金庫部をスムーズに取り出すことができるか？」，「カバーを開くときに他部品が引っかからないか？」）とが示されている。
【０００６】
一般に、分解作業の検証時に機器操作の検証に関する注記を参照する必要性はほとんど無いが、従来の作業支援情報作成方法によって作成される作業指示データにおいては、図１２に示すように、分解作業の検証時においても機器操作の検証に関する注記が表示され、作業者が必要な情報を取捨選択する必要があり煩雑である。
また、作業手順等を示す指示アニメーションにおいて、例えば、一のアニメーションを順方向に再生したり逆方向に再生したりすることにより、組立工程と分解工程とをそれぞれ示すことができる。そして、このアニメーションとともに表示させる注記コメントの内容のみを変更したり、新たに独立した注記コメントを定義したりすることにより、組立工程用と分解工程用との２つの指示アニメーションのデータ（作業指示データ）を作成することができる。
【０００７】
このような場合に、既に作成された作業指示データの注記コメントの内容を更新すると、その作業指示データを破棄してしまうことになる。又、指示アニメーションに、新たに独立した注記コメントを定義する場合には、どのタイミングにおいて注記を表示する（もしくは非表示にする）か等の情報を再度設定する必要があり煩雑である。
さらに、注記をアニメーションに挿入するに際して、注記の表示位置を他の作業シーンと同一にし、コメント内容のみを変更したい場合がある。例えば、組立工程において「部品Ｃを部品Ｂに取り付ける」と注記を表示させ、分解工程において「部品Ｃを部品Ｂから取り外す」との注記を表示させるような場合には、これらの注記をアニメーション画面における同一位置に、各作業シーンに合わせて切り替えて表示させることが望ましい。
【０００８】
しかしながら、従来の作業支援手法においては、指示アニメーションの作成者は、注記コメントの表示位置を再度指定するか、注記コメントの上書きを行なうしかなく煩雑である。
本発明は、このような課題に鑑み創案されたもので、作業支援情報の作成を容易にするとともに、作業に合った作業支援情報のみを表示させることにより利用時の利便性を向上させることを目的とする。
【課題を解決するための手段】
【０００９】
このため、本発明の作業支援システム（請求項１）は、作業対象に対して行なわれる作業に関して、当該作業を行なう作業者を支援するための提示情報を該作業者に提示する作業支援システムであって、該提示情報を表示する表示部と、該作業対象に関する画像データを格納する画像データ格納部と、該提示情報と該作業を特定する作業特定情報とを関連付け作業支援情報として格納する情報格納部と、該提示情報の提示を希望する該作業に関する該作業特定情報を入力可能な作業特定情報入力部と、該作業特定情報入力部によって入力された該作業特定情報に基づいて、該情報格納部から、当該作業特定情報に関連する該提示情報を取得する情報取得部と、該情報取得部によって取得された該提示情報を該表示部に表示させるように制御する表示制御部とをそなえ、該作業支援情報が、該画像データにおける当該提示情報の表示位置に関する情報をそなえるとともに、同一の該画像データに対して、互いに異なる該作業特定情報にかかる複数の該提示情報を関連付け、該表示制御部が、該提示情報を該表示部に表示させる際に、該画像データ格納部から取得された該画像データとともに、該提示情報を当該画像データにおける該表示位置に表示させるとともに、前記情報取得部によって取得された提示情報を、該作業対象に関する他の提示情報とは異なる表示形態で、前記他の提示情報とともに該表示部に表示させることを特徴としている。
【００１０】
また、本発明の作業支援方法（請求項２）は、作業対象に対して行なわれる作業に関する提示情報を表示装置に表示させることにより当該作業を行なう作業者を支援するコンピュータによる作業支援方法であって、該コンピュータが、該作業対象に関する画像データを画像データ格納部に格納する画像データ格納ステップと、該コンピュータが、該提示情報を、該作業を特定する作業特定情報に関連付けて作業支援情報として記憶装置に格納する情報格納ステップと、該提示情報の提示を希望する該作業に関する該作業特定情報が入力装置を介して入力されると、該コンピュータが、入力された該作業特定情報に基づいて、該記憶装置に格納された該作業支援情報から、当該作業特定情報に関連する該提示情報を取得する情報取得ステップと、該情報取得ステップにおいて取得された該提示情報を該表示装置に表示させる表示制御ステップとをそなえ、該作業支援情報が、該画像データにおける当該提示情報の表示位置に関する情報をそなえるとともに、同一の該画像データに対して、互いに異なる該作業特定情報にかかる複数の該提示情報を関連付け、該表示制御ステップにおいて、該提示情報を該表示部に表示させる際に、該画像データ格納部から取得された該画像データとともに、該提示情報を当該画像データにおける該表示位置に表示させるとともに、前記情報取得ステップにおいて取得された提示情報を、該作業対象に関する他の提示情報とは異なる表示形態で、前記他の提示情報とともに該表示装置に表示させることを特徴としている。
【００１１】
さらに、本発明の作業支援用プログラム（請求項３）は、作業対象に対して行なわれる作業に関する提示情報を表示装置に表示させることにより当該作業を行なう作業者を支援する作業支援機能をコンピュータに実行させるための作業支援用プログラムであって、該作業対象に関する画像データを画像データ格納部に格納する画像データ格納ステップと、該提示情報を、該作業を特定する作業特定情報に関連付けて作業支援情報として格納する情報格納ステップと、該提示情報の提示を希望する該作業に関する該作業特定情報を入力可能な作業特定情報入力ステップと、該作業特定情報入力ステップにおいて入力された該作業特定情報に基づいて、該情報格納ステップにおいて格納した該作業支援情報から、当該作業特定情報に関連する該提示情報を取得する情報取得ステップと、該情報取得ステップにおいて取得された該提示情報を該表示装置に表示させる表示制御ステップとを該コンピュータに実行させるとともに、該作業支援情報が、該画像データにおける当該提示情報の表示位置に関する情報をそなえるとともに、同一の該画像データに対して、互いに異なる該作業特定情報にかかる複数の該提示情報を関連付け、該表示制御ステップにおいて、該提示情報を該表示部に表示させる際に、該画像データ格納部から取得された該画像データとともに、該提示情報を当該画像データにおける該表示位置に表示させるとともに、前記情報取得ステップにおいて取得された提示情報を、該作業対象に関する他の提示情報とは異なる表示形態で、前記他の提示情報とともに該表示装置に表示させることを特徴としている。
【発明の効果】
【００１４】
本発明によれば、以下の少なくともいずれか１つの効果ないし利点が得られる。
（１）作業者はその作業シーンにおいて必要な情報のみを容易に取得することができ、利便性が高く、作業者の作業効率が向上する。
（２）作業支援情報の作成時において、作業支援情報の作成者の負担を軽減することができる。
【発明を実施するための最良の形態】
【００１５】
以下、図面を参照して本発明の実施の形態を説明する。
図１は本発明の一実施形態としての作業支援システムの構成を模式的に示す図、図２は本発明の一実施形態としての作業支援情報作成システムの構成を模式的に示す図である。
本作業支援システム１は、作業対象に対して行なわれる作業に関して、その作業を行なう作業者を支援するための作業支援情報を用いて作業者の支援を行なうものであり、例えば、作業対象（本実施形態ではＡＴＭ（Automated Teller Machine；現金自動預入れ支払い機））や人体モデルの画像にコメント（提示情報）を重合して作成された作業マニュアル（作業支援情報）等をディスプレイ２４（図１参照）に表示することにより、作業者の作業の支援を行なうようになっている。
【００１６】
（Ａ）作業支援情報作成システム
先ず、本発明の一実施形態としての作業支援情報作成システム１００について説明する。本作業支援情報作成システム１００は、作業支援情報を作成するものであって、図２に示すように、キーボード１２１，マウス１２２，ディスプレイ１２４，ＣＰＵ（情報作成部１１１，表示制御部１１２）１１０およびハードディスク（画像データ格納部）１２３をそなえて構成されたコンピュータシステムとして構成されている。
【００１７】
以下、本実施形態においては、作業支援情報の例として、作業者が作業を行なう際に参照する作業マニュアルについて説明する。
キーボード（提示情報入力部，作業特定情報入力部）１２１やマウス（提示情報入力部，作業特定情報入力部）１２２は、作業支援情報の登録者（以下、オペレータという）が、種々の文字入力や選択操作を行なうためのものであり、オペレータが英数字文字や記号等の入力や、選択処理を行なうものである。
【００１８】
本実施形態においては、オペレータは、これらのキーボード１２１やマウス１２２を用いて、作業者に提示するためのコメント（提示情報）の入力や、作業を特定する作業特定情報（作業シーン）の入力を行なうようになっている。
ディスプレイ１２４は、種々の情報を表示するものであって、後述する表示制御部１１２により表示制御が行なわれるようになっている。
【００１９】
ハードディスク１２３は、種々のデータやプログラムを格納するものであり、本作業支援情報作成システム１００を機能させるためのＯＳ（Operating System）や種々のプログラムの他、作業対象に関する画像データ３０や作業支援情報３５ａ（注記３５１ａ；図３参照）を格納するようになっている。
画像データ３０は、静止画像や動画像，模式図，図面等の作業対象の外観や構造を視覚的に示すものであって、例えば、ＣＡＤ（Computer Aided Design）や画像作成プログラム等によって作成されるようになっている。なお、本実施形態においては、画像データ３０がＣＡＤシステム４０によって作成された図面データの例について説明する。
【００２０】
なお、画像データ３０を作成するＣＡＤシステム４０は２次元ＣＡＤであっても３次元ＣＡＤであってもよく、又、本作業支援情報作成システム１００として機能するコンピュータシステムがプログラムを実行することによりＣＡＤシステム４０として機能してもよく、又、本作業支援情報作成システム１００の外部のＣＡＤシステム４０から種々の手法で画像データを取得してもよい。
【００２１】
また、画像データ３０が複数の部品を組み合わせて構成された構造物の構成を示すものである場合には、これらの各部品についての情報（例えば、部品を特定するための情報や基準位置等）をそなえている。
図３は本発明の一実施形態としての作業支援情報作成システム１００によって作成される注記３５１ａ（作業支援情報３５ａ）のデータ構成例を示す図である。注記３５１ａは、図３に示すように、コメント，作業シーン，表示方法および表示位置の各項目を相互に関連付けることによって構成され、一の画像データ３０に関連付けられている。そして、作業支援情報３５ａはこれらの注記３５１ａを複数そなえて構成されている。
【００２２】
ここで、作業シーン（作業特定情報）は、作業を特定するための情報であって、例えば、組立や分解，使用者検証，保守検証等の、作業内容や作業工程を特定するための情報である。又、コメント（提示情報）は、画像データとともに作業者に対して提示される情報であって、作業シーンに対応するものであり、作業者がその作業シーンにかかる作業を行なうに際して有用な情報や注意点等を示す文字情報として構成されている。
【００２３】
表示方法は、そのコメントを後述するディスプレイ１２４に表示させる際の表示形態等を特定するための情報であり、文字の書式（フォント種類やフォントサイズ，文字装飾の有無等）等の情報が登録されるようになっている。
また、本実施形態においては、後述する作業支援システム１のディスプレイ２４にコメントを表示させる際の表示形態を表示方法として登録することができるようになっており、例えば、その画像データに対して、他の作業シーンにおいて他のコメントが登録されている場合に、それらの他のコメントを非表示にしたり、又、他のコメントと異なる表示形態（書式等）で表示させたりするような設定を表示方法として登録することもできるようになっている。
【００２４】
表示位置は、コメントを表示させる位置等を特定するための情報であり、そのコメントを表示する画像データを特定するための情報（ファイル名やパス，格納先アドレス等）や、その画像データ上におけるコメントの表示位置や座標値，部品を特定するための情報等が登録されるようになっている。
ＣＰＵ（Central Processing Unit）１１０は、ハードディスク１２３や図示しないＲＡＭやＲＯＭ等に格納されたＯＳ（Operating System）やプログラムを実行・演算することにより、作業支援情報作成システム１００における種々の機能を実現するものであり、このＣＰＵ１１０が、作業支援情報作成用プログラムを実行することにより、後述する、情報作成部１１１および表示制御部１１２として機能するようになっている。
【００２５】
なお、これらの情報作成部１１１および表示制御部１１２としての機能を実現するためのプログラム（作業支援情報作成用プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００２６】
情報作成部１１１および表示制御部１１２としての機能を実現する際には、内部記憶装置（本実施形態では図示しないＲＡＭやＲＯＭ）に格納されたプログラムがコンピュータのマイクロプロセッサ（本実施形態ではＣＰＵ１１０）によって実行される。このとき、記録媒体に記録されたプログラムをコンピュータが読み取って実行するようにしてもよい。
【００２７】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、作業支援情報作成システム１００がコンピュータとしての機能を有しているのである。
【００２８】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００２９】
表示制御部１１２は、ディスプレイ１２４を制御して種々の情報を表示させるものである。
図４は本発明の一実施形態としての作業支援情報作成システム１００のディスプレイ１２４に表示される作業支援情報設定画面３１の例を示す図である。この図４に示す作業支援情報設定画面３１は、画像データに対応して設けられ、この画像データに関連付けるコメントと作業シーンとを入力するためのものであり、作業シーンを入力するための作業シーン入力欄３１ａとコメントを入力するためのコメント入力欄３１ｂとをそなえて構成されている。
【００３０】
オペレータは、この作業支援情報設定画面３１において、キーボード１２１やマウス１２２を用いて、登録する情報を作業シーン入力欄３１ａやコメント入力欄３１ｂから入力するようになっている。又、この作業支援情報設定画面３１において入力された情報は、ＲＡＭ等に格納された後に、情報作成部１１１に送られるようになっている。
情報作成部１１１は、作業支援情報設定画面３１において入力された作業シーンとコメントとを、画像データに関連付けて注記３５１ａ（作業支援情報３５ａ）を作成するものである。すなわち、情報作成部１１１は、ハードディスク１２３に格納された画像データと、キーボード１２１によって入力されたコメントと、同じくキーボード１２１によって入力された作業シーンとを関連付けて注記３５１ａを作成するようになっている。又、この情報作成部１１１によって作成された注記３５１ａは、ハードディスク１２３に格納されるようになっている。
【００３１】
（Ｂ）作業支援システム
次に、本発明の一実施形態としての作業支援システム１について説明する。本作業支援システム１は、作業者に対して画像データとともにコメント（提示情報）を提示することにより作業者の支援を行なうものであり、図１に示すように、キーボード（作業特定情報入力部）２１，マウス（作業特定情報入力部）２２，ディスプレイ（表示部）２４，ハードディスク２３およびＣＰＵ（情報取得部１１，表示制御部１２および表示形態変更部１３）１０をそなえて構成されている。
【００３２】
なお、図中、既述の符号と同一の符号は同一もしくは略同一の部分を示しているので、その詳細な説明は省略する。
ディスプレイ２４は、種々の情報を表示するものであって、後述する表示制御部１２により表示制御が行なわれるようになっている。
キーボード（作業特定情報入力部）２１やマウス（作業特定情報入力部）２２は、作業者が、種々の文字入力や選択操作を行なうためのものであり、作業者が英数字文字や記号等の入力や、選択処理を行なうものである。
【００３３】
本実施形態においては、作業者は、これらのキーボード２１やマウス２２を用いて、画像データやコメントの提示を希望する作業シーンを入力（選択）するようになっている。
図５は本発明の一実施形態としての作業支援システム１のディスプレイ２４に表示される作業シーン設定画面３２の例を示す図である。この図５に示す作業シーン設定画面３２は、画像データに対応して設けられ、この画像データにおいてコメントの表示を希望する作業シーンを選択（設定）ためのものであり、作業シーンを選択するための作業シーン選択欄３２ａをそなえて構成されている。
【００３４】
なお、この図５に示す例においては、作業シーン選択欄３２ａは、複数の作業シーンの中から一の作業シーンを選択可能なプルダウンメニュー（ドロップダウンメニュー）として構成され、キーボード２１やマウス２２を用いて任意の作業シーンを選択することができるようになっている。又、この作業シーン設定画面３２において選択された作業シーンは、後述するＣＰＵ（情報取得部１１）１０に通知されるようになっている。
【００３５】
ハードディスク２３は、種々のデータやプログラムを格納するものであり、本作業支援システム１を機能させるためのＯＳや種々のプログラムの他、作業対象に関する画像データ３０や作業支援情報作成システム１００によって作成された注記３５１ａ（作業支援情報３５ａ）を格納するようになっており、コメントと作業シーンとを関連付け作業支援情報として格納する情報格納部として機能するとともに、作業対象に関する画像データを格納する画像データ格納部として機能するようになっている。
【００３６】
ＣＰＵ（Central Processing Unit）１０は、前述した作業支援情報作成システム１００におけるＣＰＵ１１０と同様に、ハードディスク２３や図示しないＲＡＭやＲＯＭ等に格納されたＯＳやプログラムを実行・演算することにより、作業支援システム１における種々の機能を実現するものであり、このＣＰＵ１０が、作業支援用プログラムを実行することにより、後述する、情報取得部１１，表示形態変更部１３および表示制御部１２として機能するようになっている。
【００３７】
なお、これらの情報取得部１１，表示形態変更部１３および表示制御部１２としての機能を実現するためのプログラム（作業支援用プログラム）は、例えばフレキシブルディスク，ＣＤ，ＤＶＤ，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００３８】
情報取得部１１，表示形態変更部１３および表示制御部１２としての機能を実現する際には、内部記憶装置（本実施形態では図示しないＲＡＭやＲＯＭ）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００３９】
情報取得部１１は、ディスプレイ２４に表示された作業シーン設定画面３２においてキーボード２１やマウス２２によって入力された作業シーンに基づいて、ハードディスク２３から、その作業シーンに関連する作業支援情報（コメント等）を取得するものである。
また、この情報取得部１１によって取得された情報は表示制御部１２に渡されるようになっている。
【００４０】
表示形態変更部１３は、ディスプレイ２４におけるコメントの表示形態を変更するものであって、コメントの書式（フォントやフォントサイズ，文字装飾の有無等）や他の作業シーンにかかるコメントの表示形態（表示／非表示等）等、作業支援情報における表示方法の内容を変更するものである。
そして、表示形態変更部１３によって変更されたコメントの表示形態は、後述する表示制御部１２に通知され、表示制御部１２は、この変更された表示形態に基づいてコメントをディスプレイ２４に表示させるようになっている。
【００４１】
また、表示形態変更部１３によって変更された表示方法の内容は、例えば、図示しないメモリ等に一時的に格納された後に、ハードディスク２３に格納された注記３５１ａにおける表示形態の情報に置換されるようになっている。
表示制御部１２は、ディスプレイ２４を制御して種々の情報を表示させるものであり、情報取得部１１によって取得されたコメントを対応する画像データとともにディスプレイ２４に表示させるように制御を行なうようになっている。また、表示制御部１２は、コメントをディスプレイ２４に表示させる際に、その注記３５１ａに登録された表示方法に従ってコメントを表示させるようになっている。
【００４２】
すなわち、表示制御部１２は、注記３５１ａの表示方法に基づいて、例えば、設定された文字の書式等でコメントを表示させたり、画像データに関して、他の作業シーンにおいて他のコメントが登録されている場合に、それらの他のコメントを非表示にして、選択された作業シーンに対応するコメントのみをその画像データに重ねて表示させたり、又、選択された作業シーンに対応するコメントを他のコメントとは異なる表示形態（書式等）で画像データに重ねて表示させたりする。
【００４３】
図６および図７はそれぞれ本発明の一実施形態としての作業支援システム１におけるコメントの表示例を示す図であり、図６は他の作業シーンにかかるコメントを非表示にした状態の例を示す図、図７は選択された作業シーンにかかるコメントを他の作業シーンにかかるコメントと異なる表示形態で表示した例を示す図である。
なお、図６に示す例においては、「保守検証」の作業シーンにかかるコメントのみを画像データとともに表示させており、又、図７に示す例においては、「保守検証」の作業シーンにかかるコメントを太字の斜体で示すとともに、他の作業シーンにかかるコメントに比べて大きなフォントサイズで示している。
【００４４】
上述の如く構成された本発明の一実施形態としての作業支援システム１において、作業者は、作業対象に関する画像データをディスプレイ２４に表示させる際に、ディスプレイ２４に表示された作業シーン設定画面３２（図５参照）において、作業シーン選択欄３２ａを用いて特定の作業シーンを選択する。
これにより、図６,図７に示すように、ディスプレイ２４に、選択された作業シーンにかかるコメントのみが画像データとともに表示されたり、又、選択された作業シーンにかかるコメントが他の作業シーンにかかるコメントと異なる作業形態で表示され、作業者はこれらのディスプレイ２４に表示された画像データやコメントを参照して作業を行なう。
【００４５】
このように、本発明の一実施形態としての作業支援システム１によれば、作業者はその作業シーンにおいて必要な情報のみを容易に取得することができ、利便性が高く、作業者の作業効率が向上する。
また、本作業支援情報作成システム１００において、作業支援情報の作成時においても、図６，図７に示すように特定の作業シーンにかかるコメントのみをディスプレイ２４に表示させることにより、どの注記（コメント）が表示候補となるかが一目瞭然となり、作業支援情報の作成者（オペレータ）の負担を軽減することができる。
【００４６】
さらに、ユーザが表示したい注記を作業シーンによって切り替えることができる。
また、図５に示すような作業シーン設定画面３２を作業支援情報の作成中に表示させ、これによりディスプレイ１２４に表示させるコメントを選択的に表示させることができるようにしてもよく、これにより、オペレータ（作成者）が表示すべき注記の候補を絞り込むことが可能となり、作業支援情報の作成時における負荷を軽減することができる。
【００４７】
（Ｃ）変形例の説明
本発明は上述した実施形態に限定されるものではなく、本発明の趣旨を逸脱しない範囲で種々変形して実施することができる。
例えば、上述した実施形態においては、図６や図７に示すように、互いに異なる作業シーンにかかるコメントが、同一の画像上における異なる位置に表示されているが、これに限定されるものではなく、互いに異なる作業シーンにかかるコメントを、同一画像上における同じ位置に選択的に表示させてもよい。
【００４８】
図８は本発明の一実施形態としての作業支援システム１および作業支援情報作成システム１００の変形例において用いられる注記３５１ｂ（作業支援情報３５ｂ）のデータ構成例を示す図である。注記３５１ｂは、図３に示すように、ＩＤ，コメント，作業シーン，表示方法および表示位置の各項目を相互に関連付けることによって構成され、画像データ３０に関連付けられている。そして、作業支援情報３５ｂはこれらの注記３５１ｂを複数そなえて構成されている。
【００４９】
なお、記述の項目と同一の項目は、同一もしくは略同の内容を示しているので、その詳細な説明は省略する。
注記３５１ｂは、一の画像データ３０に関連付けられ、複数の作業シーンに対応じてそれぞれコメントをそなえて構成され、これらの複数のコメントおよび作業シーンを画像データにおける同一の表示位置に対して関連付けて構成されている。
【００５０】
例えば、図８に示す例においては、「分解」および「組立」の２つの作業シーンが設定され、又、作業シーン「分解」にはコメント「１．ネジ（×８）をはずす」が、更に、作業シーン「組立」にはコメント「３．ネジ（×８）で固定する」がそれぞれ対応付けて設定されている。
そして、これらの複数のコメントは、作業支援システム１において、注記における表示位置に従って、画像データにおける同位置位置に選択的に表示されるようになっており、キーボード２１やマウス２２により特定の作業シーンが選択されると、その選択された作業シーンに対応するコメントが、ディスプレイ２４において、その注記の表示位置として設定された位置に表示されるようになっている。
【００５１】
なお、コメントの登録手法は、図８に示すように、作業シーンとコメントとを個々に対応付けて設定してもよく、又、予め作業シーン毎にコメントを定義した定義ファイルを設定しておき、作業支援システム１においてこのような定義ファイルの読み込みを行なうことによって設定してもよい。
図９は本発明の一実施形態としての作業支援情報作成システム１００において設定される定義ファイルの例を示す図である。この図９に示す例においては、組立と分解との２つの作業シーンについて、それぞれコメントを３つ（ＩＤ＝１，２，３）ずつ設定している。
【００５２】
製造工程における「組立」と「分解」とは作業対象に対する作業過程を逆順で示すことによりそれぞれ表現することができ、例えば、部品Ｃを部品Ｂに取り付けることにより部品Ｃと部品Ｂの組立作業を表現することができ、又、部品Ｃを部品Ｂから取り外すことにより部品Ｃと部品Ｂの分解作業を表現することができる。
図１０は本発明の一実施形態としての作業支援システム１における画像データとともに組立にかかるコメントを表示させた例を示す図、図１１は本発明の一実施形態としての作業支援システム１における画像データとともに分解にかかるコメントを表示させた例を示す図である。
【００５３】
そして、図１０に示す作業シーン「組立」にかかるコメントが表示されている状態で、キーボード２１やマウス２２を用いて作業シーン「分解」を選択することにより、各コメントが、ディスプレイ２４上における表示位置がそれぞれ変更されることなく、作業シーン「分解」にかかるコメントが表示される。
これにより、作業支援情報作成システム１００において、オペレータは、注記のコメントの内容のみを設定・挿入することにより、注記の表示位置を変更することなくディスプレイ２４に表示させることができ、オペレータは、注記表示位置を再度設定する負担を軽減することができる。
【００５４】
また、作業データの画像が同一でコメントのみが異なる場合や、動画データとして構成された画像データの再生方向を逆にするだけで作業データ（作業指示）を作成可能な場合等において、表示するコメントを切り替えるだけで複数の作業支援情報を容易に作成することが可能となる。
さらに、注記の表示位置はそのままでコメントを切替可能であるので、オペレータが表示位置を入力する手間を軽減することができる。
【００５５】
またさらに、各作業シーンにおいて表示すべきコメントを切り替えることができ、又、表示するコメントのみを切り替えることにより、コメントの表示位置を各作業シーンにおいて同一とすることができる。
また、上述した実施形態においては、画像データがＣＡＤシステム４０によって作成された例について説明しているが、これに限定されるものではなく、ＣＡＤ以外のプログラム（画像作成プログラムや模式図等を生成するプログラム等）によって作成してもよい。
【００５６】
さらに、上述した実施形態においては、画像データ上にコメントを表示させることにより作業者の作業支援を行なっているが、これに限定されるものではなく、例えば、画像データ上に、例えば、音声ファイルや他の画像データ等、作業者が作業を行なうために有用な種々のデータ（ファイル）を参照（実行）するためのリンクやアイコン等を表示させてもよい。
【００５７】
さらに、上述した実施形態においては、作業支援情報と画像データとを同じハードディスク１２３，２３に格納しているが、これに限定されるものではなく、作業支援情報と画像データとを別々の格納領域に格納してもよい。更に、これらの作業支援情報および画像データの格納場所は、作業支援情報作成システム１００として機能するコンピュータにローカルドライブとして接続されたハードディスク１２３，２３に限定されるものではなく、作業支援情報作成システム１００として機能するコンピュータとＬＡＮ等を介して通信可能に接続された記憶装置に格納してもよい。
【００５８】
なお、本発明の各実施形態が開示されていれば、本発明を当業者によって実施・製造することが可能である。
（Ｄ）付記
（付記１）  作業対象に対して行なわれる作業に関して、当該作業を行なう作業者を支援するための提示情報を該作業者に提示する作業支援システムであって、
該提示情報を表示する表示部と、
該提示情報と該作業を特定する作業特定情報とを関連付け作業支援情報として格納する情報格納部と、
該提示情報の提示を希望する該作業に関する該作業特定情報を入力可能な作業特定情報入力部と、
該作業特定情報入力部によって入力された該作業特定情報に基づいて、該情報格納部から、当該作業特定情報に関連する該提示情報を取得する情報取得部と、
該情報取得部によって取得された該提示情報を該表示部に表示させるように制御する表示制御部とをそなえることを特徴とする、作業支援システム。
【００５９】
（付記２）  該表示制御部が、前記情報取得部によって取得された提示情報を、該作業対象に関する他の提示情報とは異なる表示形態で、前記他の提示情報とともに該表示部に表示させることを特徴とする、付記１記載の作業支援システム。
（付記３）  該表示制御部が、前記情報取得部によって取得された提示情報以外の当該作業対象に関する提示情報を該表示部に非表示にするように制御することを特徴とする、付記１記載の作業支援システム。
【００６０】
（付記４）  該作業対象に関する画像データを格納する画像データ格納部をそなえ、
該表示制御部が、該提示情報を該画像データ格納部から取得された該画像データとともに、該表示部に表示させることを特徴とする、付記１〜付記３のいずれか１項に記載の作業支援システム。
（付記５）  該作業支援情報が、該画像データにおける当該提示情報の表示位置に関する情報をそなえ、
該表示制御部が、該提示情報を該表示部に表示させる際に、該提示情報を該画像データにおける該表示位置に表示させることを特徴とする、付記４記載の作業支援システム。
【００６１】
（付記６）  該作業支援情報が、当該提示情報の表示形態に関する情報をそなえ、
該表示制御部が、該提示情報を該表示部に表示させる際に該表示形態で表示させることを特徴とする、付記１〜付記５のいずれか１項に記載の作業支援システム。
（付記７）  前記提示情報の該表示形態を変更可能な表示形態変更部をそなえることを特徴とする、付記６記載の作業支援システム。
【００６２】
（付記８）  作業対象に対して行なわれる作業に関する提示情報を表示装置に表示させることにより当該作業を行なう作業者を支援する作業支援方法であって、
該提示情報を、該作業を特定する作業特定情報に関連付けて作業支援情報として格納する情報格納ステップと、
該提示情報の提示を希望する該作業に関する該作業特定情報を入力可能な作業特定情報入力ステップと、
該作業特定情報入力ステップにおいて入力された該作業特定情報に基づいて、該情報格納ステップにおいて格納した該作業支援情報から、当該作業特定情報に関連する該提示情報を取得する情報取得ステップと、
該情報取得ステップにおいて取得された該提示情報を該表示装置に表示させる表示制御ステップとをそなえることを特徴とする、作業支援方法。
【００６３】
（付記９）  作業対象に対して行なわれる作業に関する提示情報を表示装置に表示させることにより当該作業を行なう作業者を支援する作業支援機能をコンピュータに実行させるための作業支援用プログラムであって、
該提示情報を、該作業を特定する作業特定情報に関連付けて作業支援情報として格納する情報格納ステップと、
該提示情報の提示を希望する該作業に関する該作業特定情報を入力可能な作業特定情報入力ステップと、
該作業特定情報入力ステップにおいて入力された該作業特定情報に基づいて、該情報格納ステップにおいて格納した該作業支援情報から、当該作業特定情報に関連する該提示情報を取得する情報取得ステップと、
該情報取得ステップにおいて取得された該提示情報を該表示装置に表示させる表示制御ステップとを該コンピュータに実行させることを特徴とする、作業支援用プログラム。
【００６４】
（付記１０）  作業対象に対して行なわれる作業に関する提示情報を表示装置に表示させることにより当該作業を行なう作業者を支援する作業支援機能をコンピュータに実行させるための作業支援用プログラムを記録したコンピュータ読取可能な記録媒体であって、
該作業支援用プログラムが、
該提示情報を、該作業を特定する作業特定情報に関連付けて作業支援情報として格納する情報格納ステップと、
該提示情報の提示を希望する該作業に関する該作業特定情報を入力可能な作業特定情報入力ステップと、
該作業特定情報入力ステップにおいて入力された該作業特定情報に基づいて、該情報格納ステップにおいて格納した該作業支援情報から、当該作業特定情報に関連する該提示情報を取得する情報取得ステップと、
該情報取得ステップにおいて取得された該提示情報を該表示装置に表示させる表示制御ステップとを該コンピュータに実行させることを特徴とする、作業支援用プログラムを記録したコンピュータ読取可能な記録媒体。
【００６５】
（付記１１）  作業対象に対して行なわれる作業に関して、当該作業を行なう作業者を支援するための作業支援情報を作成する作業支援情報作成システムであって、
該作業対象に関する画像データを格納する画像データ格納部と、
該作業に関して該作業者に提示する提示情報を入力する提示情報入力部と、
該作業を特定する作業特定情報を入力する作業特定情報入力部と、
該画像データ格納部に格納された該画像データと、該提示情報入力部によって入力された該提示情報と、該作業特定情報入力部によって入力された該作業特定情報とを関連付けて該作業支援情報を作成する情報作成部とをそなえることを特徴とする、作業支援情報作成システム。
【００６６】
（付記１２）  該情報作成部が、該画像データにおける該提示情報の表示位置に関する情報を該作業支援情報にそなえさせることを特徴とする、付記１１記載の作業支援情報作成システム。
（付記１３）  作業対象に対して行なわれる作業に関して、当該作業を行なう作業者を支援するための作業支援情報を作成する作業支援情報作成方法であって、
該作業対象に関する画像データを格納する画像データ格納ステップと、
該作業に関して該作業者に提示する提示情報を入力する提示情報入力ステップと、
該作業を特定する作業特定情報を入力する作業特定情報入力ステップと、
該画像データ格納ステップにおいて格納された該画像データと、該提示情報入力ステップにおいて入力された該提示情報と、該作業特定情報入力ステップにおいて入力された該作業特定情報とを関連付けて該作業支援情報を作成する情報作成ステップとをそなえることを特徴とする、作業支援情報作成方法。
【００６７】
（付記１４）  該情報作成ステップにおいて、該画像データにおける該提示情報の表示位置に関する情報を該作業支援情報にそなえさせることを特徴とする、付記１３記載の作業支援情報作成方法。
（付記１５）  作業対象に対して行なわれる作業に関して、当該作業を行なう作業者に提示して該作業者を支援するための作業支援情報を作成する作業支援情報作成機能をコンピュータに実行させるための作業支援情報作成用プログラムであって、
該作業に関して該作業者に提示する提示情報を入力する提示情報入力ステップと、
該作業を特定する作業特定情報を入力する作業特定情報入力ステップと、
該作業対象に関する画像データと、該提示情報入力ステップにおいて入力された該提示情報と、該作業特定情報入力ステップにおいて入力された該作業特定情報とを関連付けて該作業支援情報を作成する情報作成ステップとを、該コンピュータに実行させることを特徴とする、作業支援情報作成用プログラム。
【００６８】
（付記１６）  該情報作成ステップを該コンピュータに実行させる際に、該画像データにおける該提示情報の表示位置に関する情報を該作業支援情報にそなえさせるように該コンピュータを実行させることを特徴とする、付記１５記載の作業支援情報作成用プログラム。
（付記１７）  作業対象に対して行なわれる作業に関して、当該作業を行なう作業者に提示して該作業者を支援するための作業支援情報を作成する作業支援情報作成機能をコンピュータに実行させるための作業支援情報作成用プログラムを記録したコンピュータ読取可能な記録媒体であって、
作業支援情報作成用プログラムが、
該作業に関して該作業者に提示する提示情報を入力する提示情報入力ステップと、
該作業を特定する作業特定情報を入力する作業特定情報入力ステップと、
該作業対象に関する画像データと、該提示情報入力ステップにおいて入力された該提示情報と、該作業特定情報入力ステップにおいて入力された該作業特定情報とを関連付けて該作業支援情報を作成する情報作成ステップとを、該コンピュータに実行させることを特徴とする、作業支援情報作成用プログラムを記録したコンピュータ読取可能な記録媒体。
【００６９】
（付記１８）  作業支援情報作成用プログラムが、
該情報作成ステップを該コンピュータに実行させる際に、該画像データにおける該提示情報の表示位置に関する情報を該作業支援情報にそなえさせるように該コンピュータを実行させることを特徴とする、付記１７記載の作業支援情報作成用プログラムを記録したコンピュータ読取可能な記録媒体。
【産業上の利用可能性】
【００７０】
提示情報として、作業者が作業を行なうために有用な種々のデータを作業支援情報に関連付けることにより、作業者が文字情報以外の情報を参照する用途にも適用できる。
【図面の簡単な説明】
【００７１】
【図１】本発明の一実施形態としての作業支援システムの構成を模式的に示す図である。
【図２】本発明の一実施形態としての作業支援情報作成システムの構成を模式的に示す図である。
【図３】本発明の一実施形態としての作業支援情報作成システムによって作成される注記（作業支援情報）のデータ構成例を示す図である。
【図４】本発明の一実施形態としての作業支援情報作成システムのディスプレイに表示される作業支援情報設定画面の例を示す図である。
【図５】本発明の一実施形態としての作業支援システムのディスプレイに表示される作業シーン設定画面の例を示す図である。
【図６】本発明の一実施形態としての作業支援システムにおけるコメントの表示例を示す図である。
【図７】本発明の一実施形態としての作業支援システムにおけるコメントの表示例を示す図である。
【図８】本発明の一実施形態としての作業支援情報作成システムの変形例において用いられる注記（作業支援情報）のデータ構成例を示す図である。
【図９】本発明の一実施形態としての作業支援情報作成システムにおいて設定される定義ファイルの例を示す図である。
【図１０】本発明の一実施形態としての作業支援システムにおける画像データとともに組立にかかるコメントを表示させた例を示す図である。
【図１１】本発明の一実施形態としての作業支援システムにおける画像データとともに分解にかかるコメントを表示させた例を示す図である。
【図１２】従来の作業支援情報作成方法によって作成された作業指示データの例を示す図である。
【符号の説明】
【００７２】
１    作業支援システム
１０    ＣＰＵ
１１    情報取得部
１２    表示制御部
１３    表示形態変更部
２１    キーボード（作業特定情報入力部）
２２    マウス（作業特定情報入力部）
２３    ハードディスク（情報格納部，画像データ格納部）
２４    ディスプレイ（表示部）
３０    画像データ
３１    作業支援情報設定画面
３１ａ    作業シーン入力欄
３１ｂ    コメント入力欄
３５ａ，３５ｂ    作業支援情報
４０    ＣＡＤシステム
１００    作業支援情報作成システム
１１０    ＣＰＵ
１１１    情報作成部
１１２    表示制御部
１２１    キーボード（提示情報入力部，作業特定情報入力部）
１２３    ハードディスク（画像データ格納部）
１２４    ディスプレイ
３５１ａ，３５１ｂ    注記
【図１】
0004729352.tif 000002
【図２】
0004729352.tif 000003
【図３】
0004729352.tif 000004
【図４】
0004729352.tif 000005
【図５】
0004729352.tif 000006
【図６】
0004729352.tif 000007
【図７】
0004729352.tif 000008
【図８】
0004729352.tif 000009
【図９】
0004729352.tif 000010
【図１０】
0004729352.tif 000011
【図１１】
0004729352.tif 000012
【図１２】
0004729352.tif 000013